(57)【要約】【目的】同一長のロッドを用いたとしても、軸方向に着磁された磁石を用いた場合に比してより大きい発電量を得られる発電機を提供することを目的とする。更には、各種車体の上下動に伴う振動エネルギーを効率的に利用して発電を行う発電機を提供することを目的とする。【構成】請求項１：往復運動を行うロッドに、径方向磁石を、ロッドと径方向が直交する形状で複数取り付けると共に、ロッド及び径方向磁石の両側に、鉄心に巻装された発電コイルを設けた。請求項２：請求項１記載の発電機において、発電コイルをロッド及び径方向磁石の外周に設けた。請求項３：請求項１又は２に記載の発電機において、発電コイルを複数本設けた。請求項４：自動車、オートバイ、自転車及び電車からなる群より選択されるいずれかの乗り物の走行時の振動を利用して、ロッドに往復運動をなさしめるように設けた。【選択図】        図１
2010016916.tif 000002
【特許請求の範囲】
【請求項１】
往復運動を行うロッド２に、径方向磁石１を、ロッド２と径方向が直交する形状で複数取り付けたこと、
ロッド２及び径方向磁石１の両側に、鉄心４に巻装された発電コイル５を設けたこと、
を特徴とする発電機。
【請求項２】
発電コイル５をロッド２及び径方向磁石１の外周に設けた請求項１記載の発電機。
【請求項３】
発電コイル５を複数本備えた請求項１又は２に記載の発電機。
【請求項４】
自動車、オートバイ、自転車及び電車からなる群より選択されるいずれかの乗り物の走行時の振動を利用して、ロッド２に往復運動をなさしめる請求項１乃至４いずれかに記載の発電機。
【発明の詳細な説明】
【技術分野】
【０００１】
本発明は永久磁石と発電コイルとの電磁誘導作用により発電する磁石発電機に関するものである。
【背景技術】
【０００２】
一般的な磁石発電機は誘導コイルを巻装した固定子と、固定子内を回転する永久磁石を取り付けた回転子より成るものである。あるいは回転子に代え、往復運動をするロッドに永久磁石を取り付け発電を行うものもある。この往復運動をするロッドに永久磁石を取り付けた発電機として、例えば特許文献１や特許文献２記載の発電機がある。
【特許文献１】特開２００７−１９５３６４号公報
【特許文献２】特開２００７−２２１９８４号公報
【発明の開示】
【発明が解決しようとする課題】
【０００３】
往復運動をするロッドを用いた発電機においては、軸方向に着磁された永久磁石を、Ｓ極とＮ極とが交互に来る形態で、ロッドに取り付けている。ところが軸方向に着磁された磁石を用いると、発電量が少なくなるという難点がある。つまり軸方向に着磁された磁石を用いると隣接する磁石のＮ極とＳ極が磁力線を打ち消しあってしまう。つまり単一であれば同一磁石における反対極にわたって大きく広がる磁場が、隣接する磁石の対極に磁線が引きつけられ、磁場の広がりが小さいものとなるがゆえに、誘導コイルと磁場との干渉が小さくなり、つまりは発電量が小さなものとなってしまうのである。
【０００４】
そこで係る不都合を回避するために、隣接する磁石の間にスペーサーを介在させることで隣接する磁石の間に距離をとり、もって磁場、磁力線の広がりを確保することが行われている。しかし、係る手段を講じたとしても、軸方向に着磁されている以上、しかもスペーサーは磁力を透過させることから、磁場の広がりは小さなものになりがちである。
【０００５】
又、スペーサーを介在させると、ロッドに取り付けることができる磁石の数が、スペーサーの高さ分減ってしまうという難点がある。磁石の数が減ると当然発電量の減少に繋がるものである。
【０００６】
そこで、本発明は同一長のロッドを用いたとしても、軸方向に着磁された磁石を用いた場合に比してより大きい発電量を得られる発電機を提供することを目的とする。
【０００７】
更には、各種車体の上下動に伴う振動エネルギーを効率的に利用して発電を行う発電機を提供することを目的とする。
【課題を解決するための手段】
【０００８】
上記課題を解決するために本発明に係る発電機は以下のように構成した。
【０００９】
請求項１：往復運動を行うロッドに、径方向磁石を、ロッドと径方向が直交する形状              で複数取り付けると共に、ロッド及び径方向磁石の両側に、鉄心に巻装さ              れた発電コイルを設けた。
【００１０】
請求項２：請求項１記載の発電機において、発電コイルをロッド及び径方向磁石の外              周に設けた。
【００１１】
請求項３：請求項１又は２に記載の発電機において、発電コイルを複数本設けた。
【００１２】
請求項４：自動車、オートバイ、自転車及び電車からなる群より選択されるいずれか              の乗り物の走行時の振動を利用して、ロッドに往復運動をなさしめるよう              に設けた。
【発明の効果】
【００１３】
以下、上述のように構成される本発明が如何にして課題を解決するかを述べる。
【００１４】
図１は本発明の概略構成図である。ロッド２には径方向磁石１が複数取り付けられている。径方向磁石は図に示すように径方向に着磁されているため、軸方向磁石に比して隣接する磁石のＮ極とＳ極が磁力線を打ち消しあってしまうことが少ない。つまり隣接する磁石の対極に磁線が引きつけられることが軸方向磁石に比し少なく、磁場の広がりがより大きいものとなるのである。ゆえに誘導コイルと磁場との干渉が大きくなり、つまりはロッド２を往復動させたときの発電量が大きなものとなるのである。
【００１５】
又、隣接する磁石の対極に磁線が引きつけられることが少ないことから、隣接する磁石の間に座金を介在させる必要がなく、同一長のロッドにおいて軸方向に着磁された磁石を用いた場合に比してより多くの磁石を取り付けることが可能となる。つまりはより大きい発電量を得ることが可能となるのである。
【００１６】
そして本発明に係る発電機はロッドの往復運動を利用するため、走行時に振動が生じる車両に装備すれば振動エネルギーを効率的に利用することが可能となるのである。
【発明を実施するための最良の形態】
【００１７】
以下、好ましい発明の一実施形態につき図面を参照しながら述べる。
【００１８】
図１に示すようにロッド２は軸受３で上方と下方で保持されており往復運動が可能に設けられている（図１における矢印が往復運動の方向を示している）。ロッド２の中間にＳ極とＮ極が交互になるように円形の径方向磁石１を複数個、間隙を作らず設ける。ここに径方向磁石１６とは図４ｂに示すように直径方向に着磁された磁石をいう。一方、軸方向磁石１７とは図４ａに示すように上下方向に着磁された磁石をいう（図中矢印が着磁された方向を示す）。磁石１の両側あるいは外周に適当な隙間を設けて、磁気を通す素材で鉄心４を設け、その鉄心４の外周に何重にも発電コイル５を巻装する。図中発電コイル５はロッド２を挟んで両側に２本設けてあるが、本数は２本に限定されるものではなく、１本でも３本以上でも構わない。
【００１９】
鉄心４及び発電コイル５より成る固定子の両側には外筒６が、外筒６の上下には蓋７が組みつけられ、もって発電機８が構成される。
【００２０】
請求項４記載に係る発電機は車輪が接続される車軸と車体との間に介在されるものである。例えば図２に示すようにショックアブソーバー９と同様な形状で取り付けることが考えられる。つまり車輪１１を軸支する車軸１０にロッド２の端部を取り付ける。一方、発電機８のロッド２を設けた側と反対の端部をアッパーマウント１２を介して車体に取り付けるのである。
【００２１】
あるいは図３に示すように板バネ１３により車軸１１を支持する態様の自動車の場合には、車軸１１に取付け片１５を設け、当該取付け片１５にロッド２を取り付け、発電機８の他方端部を車体１４に取り付けるのである。本発明は車体と車軸の間に、走行時の振動に伴う距離の変動があるものであれば自動車に限らず、オートバイや自転車、電車にも適用可能なものである。又、振動が小さな場合であっても、リンク機構を介して梃子の原理により大きな往復運動を起こせば、本発明に係る発電機により発電が可能なものである。
【図面の簡単な説明】
【００２２】
【図１】本発明の概略構成図。
【図２】請求項４記載の発明の実施状態図。
【図３】請求項４記載の発明の実施状態図。
【図４】各種磁石の説明図。
【符号の説明】
【００２３】
１・・径方向磁石
２・・ロッド
５・・発電コイル
【図１】
2010016916.tif 000003
【図２】
2010016916.tif 000004
【図３】
2010016916.tif 000005
【図４】
2010016916.tif 000006
【手続補正書】
【提出日】平成20年7月2日(2008.7.2)
【手続補正１】
【補正対象書類名】明細書
【補正対象項目名】００１５
【補正方法】変更
【補正の内容】
【００１５】
又、隣接する磁石の対極に磁線が引きつけられることが少ないことから、隣接する磁石の間に座金やスペーサーを介在させる必要がなく、同一長のロッドにおいて軸方向に着磁された磁石を用いた場合に比してより多くの磁石を取り付けることが可能となる。つまりはより大きい発電量を得ることが可能となるのである。
【手続補正２】
【補正対象書類名】明細書
【補正対象項目名】００２１
【補正方法】変更
【補正の内容】
【００２１】
あるいは図３に示すように板バネ１３により車軸１０を支持する態様の自動車の場合には、車軸１１に取付け片１５を設け、当該取付け片１５にロッド２を取り付け、発電機８の他方端部を車体１４に取り付けるのである。本発明は車体と車軸の間に、走行時の振動に伴う距離の変動があるものであれば自動車に限らず、オートバイや自転車、電車にも適
用可能なものである。又、振動が小さな場合であっても、リンク機構を介して梃子の原理により大きな往復運動を起こせば、本発明に係る発電機により発電が可能なものである。
【手続補正書】
【提出日】平成20年7月2日(2008.7.2)
【手続補正１】
【補正対象書類名】図面
【補正対象項目名】図３
【補正方法】変更
【補正の内容】
【図３】
2010016916.tif 000007